(57)【要約】      （修正有）【課題】一方向に広い照射範囲を有する照明装置の小型化。【解決手段】ＬＥＤ１が配された発光面２０Ａ、２０Ｂを有する２つの発光部２Ａ、２Ｂを備え、２つの発光部２Ａ、２Ｂは、発光面２０Ａ、２０Ｂの反対面２１Ａ、２１Ｂ同士が向かい合うように配置されている。２つの発光部２Ａ、２Ｂのみで、一方向に広い照射範囲を有する照明装置Ａの小型化ができるとともに、照明装置Ａの製造コストを低減できる。小型化することで照明装置Ａの設置やメンテナンスが容易にでき、製造コストを低減することで照明装置Ａを安価に提供することができる。【選択図】図３
2013161588.tif 000002
【特許請求の範囲】
【請求項１】
発光ダイオード素子が配された発光面を有する２つの発光部を備え、前記２つの前記発光部は、前記発光面の反対面同士が向かい合うように配置されている照明装置。
【請求項２】
前記２つの前記発光部が、該発光部から照射される被照射部側の端部間の幅よりも、該被照射部側の端部と反対側の端部間の幅が広くなるように傾斜させて配置されている請求項１記載の照明装置。
【請求項３】
前記２つの前記発光部が、線対称となるように配置されている請求項１または２記載の照明装置。
【発明の詳細な説明】
【技術分野】
【０００１】
本発明は、発光ダイオード素子を用いた照明装置に関し、詳しくは、一方向に広い照射範囲を有する照明装置に関する。
【背景技術】
【０００２】
一方向に広い照射範囲を有する照明装置は、例えば、光を道路の長手方向に沿って照射する防犯用の街路灯に用いられている。このような照明装置には、一般的に水銀灯が用いられていたが、最近では、下記特許文献１に開示されているような発光ダイオード素子（以下、「ＬＥＤ」という）を用いた照明装置も使用されるようになってきている。
【０００３】
特許文献１に記載の照明装置は、中空管に複数のＬＥＤを内蔵してなる複数の発光面を、断面円弧状の保持部に、その円弧に沿って取付けることによって、一方向に広い照射範囲を有するようにしている。
【先行技術文献】
【特許文献】
【０００４】
【特許文献１】特開２００９−１７６５６７号公報
【発明の概要】
【発明が解決しようとする課題】
【０００５】
しかしながら、この特許文献１の従来技術では、中空管に複数のＬＥＤを内蔵してなる発光面を相当数必要とする上、この発光面を保持する保持片を発光面と同数設けた断面円弧状の保持部を必要とするため、これら多くの部材による照明装置の大型化や製造コストの上昇という問題がある。
【０００６】
そして、照明装置の大型化により、この照明装置の設置作業やメンテナンスが行い難くなり、更に、製造コストの上昇により、照明装置が高価なものになってしまうという問題があった。
【０００７】
本発明は、このような問題に対処することを課題の一例とするものである。すなわち、一方向に広い照射範囲を有する照明装置の小型化ができること、照明装置の製造コストを低減できること、小型化することで照明装置の設置やメンテナンスが容易にできること、製造コストを低減することで照明装置を安価にできること、等が本発明の目的である。
【課題を解決するための手段】
【０００８】
このような目的を達成するために、本発明による照明装置は、以下の構成を少なくとも具備するものである。
【０００９】
発光ダイオード素子が配された発光面を有する２つの発光部を備え、前記発光部は、前記発光面の反対面同士が向かい合うように配置されている照明装置。
【００１０】
前記２つの前記発光部を、該発光部から照射される被照射部側の端部間の幅よりも、該被照射部側の端部と反対側の端部間の幅が広くなるように傾斜させて配置することが好ましい。
【００１１】
前記２つの前記発光部を線対称となるように配置することが好ましい。
【発明の効果】
【００１２】
このような特徴を有することで本発明は、以下の効果を奏する。すなわち、発光ダイオード素子が配された発光面を有する２つの発光部を備え、前記発光部を前記発光面の反対面同士が向かい合うように配置することで、照射範囲を一方向に広くしたので、一方向に広い照射範囲を有する照明装置の小型化ができるとともに、照明装置の製造コストを低減できる。小型化することで照明装置の設置やメンテナンスが容易にでき、製造コストを低減することで照明装置を安価にできる。
【図面の簡単な説明】
【００１３】
【図１】本発明の実施形態に係る照明装置の斜視図。
【図２】蓋体を開いた状態の照明装置の斜視図。
【図３】図１の（３）−（３）線断面図。
【図４】図１の（４）−（４）線断面図。
【発明を実施するための形態】
【００１４】
以下で説明する照明装置は、電柱や建物の壁面等に設置され、車道や歩道、或いは、通路等を含む道路の長手方向(一方向)に沿って光を照射する防犯用に用いられるものである（防犯灯）。また、以下で説明する被照射部は、前述の道路である。
【００１５】
このような防犯灯は、社団法人日本防犯設備協会が定める照度基準を満足できるように、道路の長手方向に沿って一定間隔で複数設置される。
【００１６】
前述の防犯灯の照度基準は、クラスＡ及びクラスＢと呼ばれるものがある。クラスＡは、水平面照度（平均値）５ルクス以上、鉛直面照度（最小値）１ルクス以上であって、４ｍ先の歩行者の顔の概要が識別できる照度である。クラスＢは、水平面照度（平均値）３ルクス以上、鉛直面照度（最小値）０．５ルクス以上であって、４ｍ先の歩行者の挙動・姿勢等がわかる照度である。
【００１７】
クラスＡ又はクラスＢのいずれの防犯灯を採用するかは、設置される道路状況や防犯上の重要性、歩行者数や交通量、周辺環境の明るさ、コスト等に応じて任意に決定できる。
【００１８】
防犯灯の設置間隔は、前述のクラスＡ又はクラスＢで定められた照度が確保できる間隔であればよく、少なくとも、クラスＡで６ｍ以上、クラスＢで１０ｍ以上あればよい。
【００１９】
以下、本発明の実施形態に係る照明装置Ａを図面に基づいて説明する。図１〜図４は、照明装置Ａの概略構成図である。この照明装置Ａは、道路（図示せず）の長手方向（一方向）に沿って光を照射する防犯用に用いられる防犯灯である。
【００２０】
照明装置Ａは、光源として複数の発光ダイオード素子（以下「ＬＥＤ」という）１を配した２つの発光部２Ａ、２Ｂと、発光部２Ａ、２Ｂを駆動するための電源を形成する電源ユニット３と、発光部２Ａ、２Ｂ及び電源ユニット３を収容するケーシングＢと、を備えている。
【００２１】
ケーシングＢは、発光部２Ａ、２Ｂ及び電源ユニット３を収容する収容体Ｂ１と、収容体Ｂ１を開閉する蓋体Ｂ２とを備えている。
【００２２】
収容体Ｂ１には、照明装置Ａを電柱等に取り付けるための取付け枠Ｂ３が備えられている。また、収容体Ｂ１の外壁には、多数の放熱板Ｂ４が形成されており、この放熱板Ｂ４を介してケーシングＢ内の熱を放熱するようになっている。
【００２３】
蓋体Ｂ２は、収容体Ｂ１の開口部Ｂ１０を開閉するように、蓋体Ｂ２の一辺側が開口部Ｂ１０の一辺側に回転可能に軸支されている。また、この蓋体Ｂ２には、発光部２Ａ、２Ｂと対向するように配されたカバー部材４が備えられている。
【００２４】
開口部Ｂ１０の他辺側には、蓋体Ｂ２の閉状態を保持及び保持解除する係止部Ｂ１１が備えられており、この係止部Ｂ１１が蓋体Ｂ２に係合することによって蓋体Ｂ２の閉状態を保持し、係止部Ｂ１１の係合状態を解除することで蓋体Ｂ２が回転して開口部Ｂ１０が開放されるようになっている。
【００２５】
蓋体Ｂ２は係合解除されると自重によって回転して開口部Ｂ１０を開放するようになっている。蓋体Ｂ２には、カバー部材４により塞がれる貫通口Ｂ２０が開口されている。
【００２６】
取付け枠Ｂ３は、図１においてコ形に形成され、その両端部Ｂ３０、Ｂ３０が収容体Ｂ１に対して回転可能、且つ固定可能に軸支されている。取付け枠Ｂ３を電柱（図示せず）や壁面（図示せず）に固定した状態で、収容体Ｂ１を回転させて設置角度を調整し、所定の角度で収容体Ｂ１を固定するようになっている。
【００２７】
発光部２Ａ、２Ｂは、複数のＬＥＤ１を基板２０に埋め込み固定された発光面２０Ａ、２０Ｂを備え、基板２０におけるプリント配線（図示せず）を介して直列接続して構成され、電源ユニット３と接続することでＬＥＤ１に電気を供給するようになっている。
【００２８】
発光面２０Ａ、２０Ｂは、収納体Ｂ１に設けられた取付台２Ｃに取付けられている。取付台２Ｃは、発光面２０Ａ、２０Ｂを固定する傾斜状の２つの固定部２０Ｃ、２１Ｃを備えている。
【００２９】
固定部２０Ｃ、２１Ｃは、図３において、被照射部(道路)側(図示において下側)の端部を頂点とする二等辺三角形の底辺を除く二辺に相当する傾斜面として形成されている。
【００３０】
このような固定部２０Ｃ、２１Ｃに、反対面２１Ａ、２１Ｂを固着して発光面２０Ａ、２０Ｂを取り付けることによって、発光部２Ａ、２Ｂを、発光面２０Ａ、２０Ｂの反対面２１Ａ、２１Ｂ同士が向かい合い、前述の被照射部側の端部２０Ｄ、２０Ｅ間の幅よりも、この端部２０Ｄ、２０Ｅと反対側の端部２０Ｆ、２０Ｇ間の幅が広くなるように傾斜し、且つ線対称となるように配置することができる。
【００３１】
固定部２０Ｃ、２１Ｃは、発光面２０Ａ、２０Ｂを貫通口Ｂ２０からケーシングＢの外側に突出させるように設けられており、この発光面２０Ａ、２０Ｂからの光が蓋体Ｂ２によって妨げられないようになっている。
【００３２】
このように配置された発光面２０Ａ、２０Ｂを備えた発光部２Ａ、２Ｂによると、照射範囲を一方向(図３において左右方向)に広くすることができる。また、発光部２Ａ、２Ｂを線対称となるように配置しているので、図３において照明装置Ａを中心とした左右方向の照射範囲を同じ距離にすることができる。
【００３３】
発光部２Ａ、２Ｂは、線対称となるように配置した形態に限らず、図３において照明装置Ａを中心とした左右方向の照射範囲を、左右で異なる距離にしたい場合には、いずれか一方の発光部２Ａ、２Ｂの傾斜角を夫々異なる角度とすればよい(図示せず)。
【００３４】
また、発光部２Ａ、２Ｂは、別体とした形態に限らず、前述の被照射部側を連結した一体物として、発光面２０Ａ、２０Ｂの反対面２１Ａ、２１Ｂ同士が向かい合い、前述の被照射部側の端部２０Ｄ、２０Ｅ間の幅よりも、この端部２０Ｄ、２０Ｅと反対側の端部２０Ｆ、２０Ｇ間の幅が広くなるように傾斜し、且つ線対称となるようにした形態としてもよい(図示せず)。
【００３５】
発光部２Ａ、２Ｂ間の角度は、９０°〜１２０°の範囲とすることで、効率的に一方向に広い照射範囲で照射することができる。
【００３６】
発光部２Ａ、２Ｂの周囲には、反射板Ｃが設けられている。反射板Ｃは、発光部２Ａ、２Ｂが貫通する通過口Ｃ１が開口されており、カバー部材４に反射する発光部２Ａ、２Ｂからの光を反射させてカバー部材４に向かわせるようにしている。
【００３７】
電源ユニット３は、外部電源（図示せず）に接続されるコンセントプラグ３０を備えた電源ケーブル３１が備えられており、この電源ユニット３が前述の外部電源からの電力を発光部２Ａ、２Ｂに供給するようになっている。
【００３８】
カバー部材４は、透明又は透過性を有するガラス又は硬質の合成樹脂を用いて、発光部２Ａ、２Ｂの光を拡散する拡散部４Ａと、この拡散部４Ａを囲むフランジ４Ｂとを一体に形成したものである。
【００３９】
拡散部４Ａは、発光部２Ａ、２Ｂ側（内側）を球面の凹部４０Ａとし、照射側（外側）を凹部４０Ａと同心の球面の凸部４１Ａから構成されている。この拡散部４Ａは、凸部４１Ａを照射側に向けて、この凸部４１Ａが貫通口Ｂ２０から外側に突出するようにされている。
【００４０】
すなわち、拡散部４Ａを球面の凸部４１Ａが貫通口Ｂ２０から突出するように配置して、蓋体Ｂ２の外側で発光部２Ａ、２Ｂからの光を拡散させるようにしている。
【００４１】
フランジ４Ｂは、貫通口Ｂ２０の内周縁と相似形とし、且つこの内周縁よりも大きい外周縁を有しており、このフランジ４Ｂを通過口Ｃ１の周囲面に取り付けることによって、カバー部材４を蓋体Ｂ２に取り付けるようになっている。フランジ４Ｂの取付け構造は、ねじ止め（図示せず）等によって着脱自在な構造が好ましい。
【００４２】
以上の構成とする照明装置Ａによると、発光部２Ａ、２Ｂを、発光面２０Ａ、２０Ｂの反対面２１Ａ、２１Ｂ同士が向かい合い、前述の被照射部側の端部２０Ｄ、２０Ｅ間の幅よりも、この端部２０Ｄ、２０Ｅと反対側の端部２０Ｆ、２０Ｇ間の幅が広くなるように傾斜し、且つ線対称となるように配置したことで、照射範囲を一方向に広くすることができる。
【００４３】
すなわち、２つの発光部２Ａ、２Ｂのみで、一方向に広い照射範囲を有する照明装置Ａの小型化ができるとともに、照明装置の製造コストを低減できる。小型化することで照明装置Ａの設置やメンテナンスが容易にでき、製造コストを低減することで照明装置Ａを安価に提供することができる。
【符号の説明】
【００４４】
Ａ：照明装置  １：ＬＥＤ（発光ダイオード素子）２Ａ：発光部  ２Ｂ：発光部
２０Ａ：発光面  ２０Ｂ：発光面  ２０Ｄ：端部  ２０Ｅ：端部  ２０Ｆ：端部
２０Ｇ：端部  ２１Ａ：反対面  ２１Ｂ：反対面
【図１】
2013161588.tif 000003
【図２】
2013161588.tif 000004
【図３】
2013161588.tif 000005
【図４】
2013161588.tif 000006